(57)【要約】【課題】  少なくとも重要な操作についての操作者の誤操作を未然に回避することによって誤操作による不利益を軽減することができ、所望の画像情報を適正かつ円滑に再生することができる「画像再生装置およびこれを備えた画像表示システム」を提供すること。【解決手段】  操作者の操作が、制御対象操作であり、かつ、直前の操作から受付禁止時間が経過する前になされた操作である場合には、当該操作を無効とする制御を行う制御手段９を備えたこと。【選択図】      図１
2005328428.tif 000002
【特許請求の範囲】
【請求項１】
入力手段を介してなされる操作者の操作によって、画像情報を再生可能とされた画像再生装置であって、
前記操作者の操作が、制御対象操作であり、かつ、直前の操作から受付禁止時間が経過する前になされた操作である場合には、当該操作を無効とする制御を行う制御手段を備えたことを特徴とする画像再生装置。
【請求項２】
前記制御手段は、前記操作者の操作が非制御対象操作の場合には、当該操作を直前の操作に連続して受け付けることを特徴とする請求項１に記載の画像再生装置。
【請求項３】
前記制御対象操作は、有料画像情報の再生をともなう操作を含むことを特徴とする請求項１または請求項２に記載の画像再生装置。
【請求項４】
前記制御手段は、前記受付禁止時間を、前記直前の操作における画像情報の圧縮に要した圧縮時間と、当該圧縮した画像情報の解凍に要した解凍時間とを加算することによって求めることを特徴とする請求項１乃至請求項３のいずれか１項に記載の画像再生装置。
【請求項５】
前記制御手段は、前記操作者の操作が制御対象操作であるか否かを予め取得された操作の遷移に関する情報に基づいて判断することを特徴とする請求項１乃至請求項４のいずれか１項に記載の画像再生装置。
【請求項６】
入力手段を介してなされる操作者の操作によって、画像情報を再生可能とされた画像再生装置と、当該画像再生装置によって再生された画像情報を画像表示部に表示可能とされた画像表示装置とを有する画像表示システムであって、
前記画像再生装置は、前記操作者の操作が、制御対象操作であり、かつ、直前の操作から受付禁止時間が経過する前になされた操作である場合には、当該操作を無効とする制御を行う制御手段を備えていることを特徴とする画像表示システム。
【請求項７】
前記制御手段は、前記操作者の操作が非制御対象操作の場合には、当該操作を直前の操作に連続して受け付けることを特徴とする請求項６に記載の画像表示システム。
【請求項８】
前記制御対象操作は、有料画像情報の再生をともなう操作を含むことを特徴とする請求項６または請求項７に記載の画像表示システム。
【請求項９】
前記制御手段は、前記受付禁止時間を、前記直前の操作における画像情報の圧縮に要した圧縮時間と、当該圧縮した画像情報の解凍に要した解凍時間とを加算することによって求めることを特徴とする請求項６乃至請求項８のいずれか１項に記載の画像表示システム。
【請求項１０】
前記制御手段は、前記解凍時間についての情報を前記画像表示装置側から送信によって取得可能とされているとともに、当該解凍時間についての情報を取得することができない場合には、予め設定されている解凍時間の固定値と、前記直前の操作における画像情報の圧縮に要した圧縮時間とを加算することによって、前記受付禁止時間を求めることを特徴とする請求項９に記載の画像表示システム。
【請求項１１】
前記制御手段は、前記操作者の操作が制御対象操作であるか否かを予め取得された操作の遷移に関する情報に基づいて判断することを特徴とする請求項６乃至請求項１０のいずれか１項に記載の画像表示システム。
【発明の詳細な説明】
【技術分野】
【０００１】
本発明は、画像再生装置およびこれを備えた画像表示システムに係り、特に、入力手段を介してなされる操作者の操作によって、所望の画像情報を再生するのに好適な画像再生装置およびこれを備えた画像表示システムに関する。
【背景技術】
【０００２】
従来から、デジタル画像データを画像再生装置側からデジタル転送バスを介して画像表示装置側に転送する際には、デジタル転送バスの帯域幅を考慮して、画像再生装置側においてデジタル画像データをＭＰＥＧ２等の圧縮方式によって圧縮（エンコード）するようになっていた。そして、圧縮されたデジタル画像データを画像表示装置側に転送した後に、画像表示装置側において、解凍（デコード）するようになっていた。
【０００３】
この場合に、画像データの圧縮および解凍に要する時間が、画像情報の再生の開始から画像の表示に至るまでに要する遅延時間となっていた。
【０００４】
したがって、操作者が画像再生装置に対して入力手段を介して操作を行った場合に、その操作が画像の表示として反映されるのは、実際の操作から遅延時間が経過した後になっていた。
【０００５】
【特許文献１】特開２０００−３５０１８３号公報
【特許文献２】特開２００１−２９８７３５号公報
【特許文献３】特開２００４−７２６２９号公報
【発明の開示】
【発明が解決しようとする課題】
【０００６】
前述のように、遅延時間が生じることを原因として、操作者の操作を瞬時に画像表示に反映されることができないことにより、操作者は、画像再生装置が操作を受け付けなかったものと判断して同じ操作を繰り返し行うことがあった。
【０００７】
そして、操作者が画像再生装置に対して同じ操作を重複して行う結果、従来は、操作者の意図しない操作結果（表示画像）が得られてしまうといった問題が生じていた。
【０００８】
特に、メニュー画面の推移を決定する操作ボタンの操作においては、操作者の意図しないメニュー画面への遷移が操作者に重大な不利益をもたらす虞がある。例えば、有料放送などの選択においては大きな問題となり得る。
【０００９】
そこで、本発明は、このような問題点に鑑みなされたものであり、少なくとも重要な操作についての操作者の誤操作を未然に回避することによって誤操作による不利益を軽減することができ、所望の画像情報を適正かつ円滑に再生することができる画像再生装置およびこれを備えた画像表示システムを提供することを目的とするものである。
【課題を解決するための手段】
【００１０】
前述した目的を達成するため、本発明に係る画像再生装置の特徴は、入力手段を介してなされる操作者の操作によって、画像情報を再生可能とされた画像再生装置であって、前記操作者の操作が、制御対象操作であり、かつ、直前の操作から受付禁止時間が経過する前になされた操作である場合には、当該操作を無効とする制御を行う制御手段を備えた点にある。
【００１１】
そして、このような構成によれば、制御対象操作については、受付禁止時間が経過して画像表示装置によって操作内容を確認することができた後にはじめて操作を受け付けるようにすることが可能となる。
【００１２】
なお、本願において、「画像情報」とは、操作画面におけるメニューを表示する文字や図形等の静止画像についての情報に限らず、映像等の動画情報や、音声情報を含めた広義の概念をいうものとする。
【００１３】
また、本発明に係る画像再生装置の特徴は、制御手段は、操作者の操作が非制御対象操作の場合には、当該操作を直前の操作に連続して受け付ける点にある。
【００１４】
そして、このような構成によれば、非制御対象操作については、操作内容を画像表示装置によって確認することができる状態になる前においても受け付けることが可能となる。
【００１５】
なお、「連続して」とは、受付禁止時間を設定せずに即時に操作を受け付けることをいうものとする（以下、同様）。
【００１６】
さらに、本発明に係る画像再生装置の特徴は、制御対象操作が、有料画像情報の再生をともなう操作を含む点にある。
【００１７】
そして、このような構成によれば、有料画像情報の再生をともなう重要な操作についての誤操作を有効に防止することが可能となる。
【００１８】
さらにまた、本発明に係る画像再生装置の特徴は、制御手段が、受付禁止時間を、直前の操作における画像情報の圧縮に要した圧縮時間と、当該圧縮した画像情報の解凍に要した解凍時間とを加算することによって求める点にある。
【００１９】
そして、このような構成によれば、受付禁止時間を、誤操作の防止と円滑な操作の継続とを均衡させるために最適な時間に設定することが可能となる。
【００２０】
また、本発明に係る画像再生装置の特徴は、制御手段が、操作者の操作が制御対象操作であるか否かを予め取得された操作の遷移に関する情報に基づいて判断する点にある。
【００２１】
そして、このような構成によれば、操作者の操作が制御対象操作であるか否かの判断をさらに効率的に行うことが可能となる。
【００２２】
さらに、本発明に係る画像表示システムの特徴は、入力手段を介してなされる操作者の操作によって、画像情報を再生可能とされた画像再生装置と、当該画像再生装置によって再生された画像情報を画像表示部に表示可能とされた画像表示装置とを有する画像表示システムであって、前記画像再生装置は、前記操作者の操作が、制御対象操作であり、かつ、直前の操作から受付禁止時間が経過する前になされた操作である場合には、当該操作を無効とする制御を行う制御手段を備えている点にある。
【００２３】
そして、このような構成によれば、制御対象操作については、受付禁止時間が経過して画像表示装置によって操作内容を確認することができた後にはじめて操作を受け付けるようにすることが可能となる。
【００２４】
さらにまた、本発明に係る画像表示システムの特徴は、制御手段は、操作者の操作が非制御対象操作の場合には、当該操作を直前の操作に連続して受け付ける点にある。
【００２５】
そして、このような構成によれば、非制御対象操作については、操作内容を画像表示装置によって確認することができる状態になる前においても受け付けることが可能となる。
【００２６】
また、本発明に係る画像表示システムの特徴は、制御対象操作が、有料画像情報の再生をともなう操作を含む点にある。
【００２７】
そして、このような構成によれば、有料画像情報の再生をともなう重要な操作についての誤操作を有効に防止することが可能となる。
【００２８】
さらに、本発明に係る画像表示システムの特徴は、制御手段が、受付禁止時間を、直前の操作における画像情報の圧縮に要した圧縮時間と、当該圧縮した画像情報の解凍に要した解凍時間とを加算することによって求める点にある。
【００２９】
そして、このような構成によれば、受付禁止時間を、誤操作の防止と円滑な操作の継続とを均衡させるために最適な時間に設定することが可能となる。
【００３０】
さらにまた、本発明に係る画像表示システムの特徴は、制御手段が、解凍時間についての情報を画像表示装置側から送信によって取得可能とされているとともに、当該解凍時間についての情報を取得することができない場合には、予め設定されている解凍時間の固定値と、前記直前の操作における画像情報の圧縮に要した圧縮時間とを加算することによって、受付禁止時間を求める点にある。
【００３１】
そして、このような構成によれば、画像表示装置側から直前の操作における画像情報についての解凍時間を取得することができない場合においても、受付禁止時間を設定することが可能となる。
【００３２】
また、本発明に係る画像表示システムの特徴は、制御手段が、操作者の操作が制御対象操作であるか否かを予め取得された操作の遷移に関する情報に基づいて判断する点にある。
【００３３】
そして、このような構成によれば、操作者の操作が制御対象操作であるか否かの判断をさらに効率的に行うことが可能となる。
【発明の効果】
【００３４】
本発明に係る画像再生装置によれば、制御対象操作については、受付禁止時間が経過して画像表示装置によって操作内容を確認することができた後にはじめて操作を受け付けるようにすることができる結果、少なくとも重要な操作についての操作者の誤操作を未然に回避することによって誤操作による不利益を軽減することができ、所望の画像情報を適正かつ円滑に再生することができる画像再生装置を実現することができる。
【００３５】
また、本発明に係る画像再生装置によれば、非制御対象操作については、操作内容を画像表示装置によって確認することができる状態になる前においても受け付けることができる結果、所望の画像情報をさらに円滑に再生することができる画像再生装置を実現することができる。
【００３６】
さらに、本発明に係る画像再生装置によれば、有料画像情報の再生をともなう重要な操作についての誤操作を有効に防止することができる結果、重要な操作についての操作者の誤操作をさらに有効に防止することによって誤操作による不利益をさらに軽減することができ、所望の画像情報をより適正かつ円滑に再生することができる画像再生装置を実現することができる。
【００３７】
さらにまた、本発明に係る画像再生装置によれば、受付禁止時間を、誤操作の防止と円滑な操作の継続とを均衡させるために最適な時間に設定することができる結果、所望の画像情報をより適正かつ円滑に再生することができる画像再生装置を実現することができる。
【００３８】
また、本発明に係る画像再生装置によれば、操作者の操作が制御対象操作であるか否かの判断を効率的に行うことができる結果、所望の画像情報をさらに適正かつ円滑に再生することができる画像再生装置を実現することができる。
【００３９】
さらに、本発明に係る画像表示システムによれば、制御対象操作については、受付禁止時間が経過して画像表示装置によって操作内容を確認することができた後にはじめて操作を受け付けるようにすることができる結果、少なくとも重要な操作についての操作者の誤操作を未然に回避することによって誤操作による不利益を軽減することができ、所望の画像情報を適正かつ円滑に再生して表示することができる画像表示システムを実現することができる。
【００４０】
さらにまた、本発明に係る画像表示システムによれば、非制御対象操作については、操作内容を画像表示装置によって確認することができる状態になる前においても受け付けることができる結果、所望の画像情報をさらに円滑に再生して表示することができる画像表示システムを実現することができる。
【００４１】
また、本発明に係る画像表示システムによれば、有料画像情報の再生をともなう重要な操作についての誤操作を有効に防止することができる結果、重要な操作についての操作者の誤操作をさらに有効に防止することによって誤操作による不利益をさらに軽減することができ、所望の画像情報をより適正かつ円滑に再生して表示することができる画像表示システムを実現することができる。
【００４２】
さらに、本発明に係る画像表示システムによれば、受付禁止時間を、誤操作の防止と円滑な操作の継続とを均衡させるために最適な時間に設定することができる結果、所望の画像情報をより適正かつ円滑に再生して表示することができる画像表示システムを実現することができる。
【００４３】
さらにまた、本発明に係る画像表示システムによれば、画像表示装置側から直前の操作における画像情報についての解凍時間を取得することができない場合においても、受付禁止時間を設定することができる結果、画像情報をさらに安定的に再生して表示することができる画像表示システムを実現することができる。
【００４４】
また、本発明に係る画像表示システムによれば、操作者の操作が制御対象操作であるか否かの判断を効率的に行うことができる結果、所望の画像情報をさらに適正かつ円滑に再生して表示することができる画像表示システムを実現することができる。
【発明を実施するための最良の形態】
【００４５】
以下、本発明に係る画像再生装置およびこれを備えた画像表示システムの実施形態について、図１および図２を参照して説明する。
【００４６】
図１に示すように、本実施形態における画像表示システム１は、デジタル転送バス２を介して互いに接続された画像再生装置３と画像表示装置４とを有している。
【００４７】
画像再生装置３には、図示しない操作ボタンを備えた入力手段としての画像再生側リモコン５が接続されており、この画像再生側リモコン５は、操作者の入力操作にしたがって光学的操作信号を送信するようになっている。
【００４８】
画像再生装置３は、画像再生側リモコン受光部７を有しており、この画像再生側リモコン受光部７は、画像再生側リモコン５から送信された光学的操作信号を受信するとともに、当該光学的操作信号を電気的操作信号に変換して出力するようになっている。
【００４９】
また、画像再生装置３は、画像再生側リモコン５と同様に入力手段として機能する画像再生側操作ボタン８を有しており、この画像再生側操作ボタン８は、操作者の操作にしたがって電気的操作信号を出力するようになっている。
【００５０】
画像再生側リモコン受光部７および画像再生側操作ボタン８の出力側には、制御手段としての画像再生側制御部９が接続されており、この画像再生側制御部９は、画像再生側リモコン受光部７または画像再生側操作ボタン８から出力された電気的操作信号を入力するとともに、この電気的操作信号にしたがって所望の画像情報を再生するための制御信号を出力するようになっている。
【００５１】
画像再生側制御部９の出力側には、ＤＶＤプレイヤーやテレビのデジタルチューナ等のコンテンツ再生部１１が接続されており、このコンテンツ再生部１１は、画像再生側制御部９から出力された制御信号にしたがって、画像情報としてのデジタルの画像データを再生して出力するようになっている。
【００５２】
なお、本実施形態において、画像データは、ＤＶＤの映像やテレビの放送内容用等の本編の画像についての画像データと、本編の画像の再生に至るまでのメニュー画面の画像についての画像データとを含んでいる。
【００５３】
コンテンツ再生部１１の出力側には、画像圧縮部１２が接続されており、この画像圧縮部１２は、コンテンツ再生部１１から出力された画像データをＭＰＥＧ２、ＭＰＥＧ４またはＤＶ等の圧縮方式によって圧縮するとともに、圧縮した画像データ（以下、「圧縮画像データ」と称する）を出力するようになっている。
【００５４】
画像圧縮部１２の出力側には、バスのドライバ等からなる画像再生側通信部１３が接続されており、この画像再生側通信部１３は、画像圧縮部１２から出力された圧縮画像データをデジタル転送バス２を介して画像表示装置４側に送信するようになっている。
【００５５】
一方、画像表示装置４は、バスのドライバ等からなる画像表示側通信部１５を有しており、この画像表示側通信部１５は、画像再生側通信部１３から送信された圧縮画像データを受信するとともに、受信した圧縮画像データを内部に出力するようになっている。
【００５６】
画像表示側通信部１５の出力側には、画像解凍部１６が接続されており、この画像解凍部１６は、画像表示側通信部１５から出力された圧縮画像データを解凍するとともに、この解凍した画像データを出力するようになっている。
【００５７】
画像解凍部１６の出力側には、画像表示部１７が接続されており、この画像表示部１７は、解凍後の画像データの画像を表示するようになっている。
【００５８】
さらに、画像表示装置４には、図示しない操作ボタンを備えた入力手段としての画像表示側リモコン１８が接続されており、この画像表示側リモコン１８は、操作者の入力操作にしたがって光学的操作信号を送信するようになっている。
【００５９】
また、画像表示装置４は、画像表示側リモコン受光部２０を有しており、この画像表示側リモコン受光部２０は、画像表示側リモコン１８から送信された光学的操作信号を受信するとともに、当該光学的操作信号を電気的操作信号に変換して出力するようになっている。
【００６０】
さらに、画像表示装置４は、画像表示側リモコン１８と同様に入力手段として機能する画像表示側操作ボタン２１を有しており、この画像表示側操作ボタン２１は、操作者の操作にしたがって電気的操作信号を出力するようになっている。
【００６１】
画像表示側リモコン受光部２０および画像表示側操作ボタン２１の出力側には、画像表示側制御部２２が接続されており、この画像表示側制御部２２は、画像表示側リモコン受光部２０または画像表示側操作ボタン２１から出力された電気的操作信号を入力するとともに、この電気的操作信号にしたがって所望の画像情報を再生するための制御信号を出力するようになっている。
【００６２】
画像表示側制御部２２によって出力された制御信号は、画像表示側通信部１５に入力されるとともに、この画像表示側通信部１５からデジタル転送バス２を介して画像再生装置３側に送信されるようになっている。そして、画像再生装置３側に送信された制御信号は、画像再生側通信部１３を経て画像再生側制御部９に入力されるようになっている。
【００６３】
このように、本実施形態においては、入力手段として、画像再生側リモコン５、画像再生側操作ボタン８、画像表示側リモコン１８および画像表示側操作ボタン２１の４つの手段を備えているが、少なくとも一つの入力手段を備えていれば本発明の画像表示システム１を実施することは可能である。
【００６４】
そして、上記の基本的構成を備えた本実施形態の画像表示システム１において、画像再生装置３の画像再生側制御部９は、入力手段５，８，１８，２１を介してなされた操作者の操作が、制御対象操作であるか、または、非制御対象操作であるかを入力された電気的操作信号に基づいて判断するようになっている。
【００６５】
さらに、画像再生側制御部９は、操作者の操作が制御対象操作である場合において、当該操作が、直前の操作から所定の受付禁止時間が経過する前になされた操作であるか否かを、タイマ等の図示しない計時手段を用いて判断するようになっている。
【００６６】
そして、画像再生側制御部９は、操作者の操作が、制御対象操作であり、かつ、直前の操作から受付禁止時間が経過する前になされた操作である場合には、当該操作を受け付けずに無効とする制御を行うようになっている。
【００６７】
これにより、制御対象操作については、受付禁止時間が経過して、画像表示装置４の画像表示部１７に画像が表示されることによって操作内容を確認することができた後に、はじめて操作を受け付けるようにすることができる。
【００６８】
一方、画像再生側制御部９は、操作者の操作が非制御対象操作の場合には、当該操作を直前の操作に連続して受け付けるようになっている。
【００６９】
これにより、非制御対象操作については、操作内容を画像表示部１７によって確認することができる状態になる前においても受け付けることができる。
【００７０】
また、本実施形態において、制御対象操作には、有料画像情報の再生をともなう操作が含まれている。
【００７１】
これにより、有料画像情報の再生をともなう重要な操作についての誤操作を有効に防止することができる。
【００７２】
この他にも、制御対象操作としては、例えば、「Enter」や「Return」等のメニュー画面の推移を決定する重要度の高い操作ボタンの操作を挙げることができる。
【００７３】
これに対し、非制御対象操作としては、例えば、選択ボタン等の重要度の低い操作ボタンの操作を挙げることができる。
【００７４】
なお、操作者の操作が制御対象操作であるか非制御対象操作であるかの判断基準としては、前記のように重要度の高い特定の操作ボタンの操作を制御対象操作とするように、操作ボタンを基準に判断するようにしてもよい。
【００７５】
また、これに限らず、ＤＶＤのディスクや、ＥＰＧ（Electronic Program Guide )で作成されたプログラム等から、予めメニュー画面の遷移等の操作の遷移に関する情報を取得しておき、この操作の遷移を基準として判断するようにしてもよい。この場合には、例えば、現在のメニュー画面においてなされた操作によって、次のメニュー画面に進む場合には、当該操作を制御対象操作とし、現在のメニュー画面においてなされた操作によって、前のメニュー画面に戻る場合や、現在のメニュー画面を維持したままカーソルの移動等によって選択されるメニューが変わるに過ぎない場合には、当該操作を非制御対象操作とすることもできる。このように、操作の遷移を基準とする場合には、操作者の操作が制御対象操作であるか否かの判断を効率的に行うことができる。
【００７６】
さらに、本実施形態において、画像再生側制御部９は、直前の操作における画像データの圧縮に要した圧縮時間についての情報を、画像圧縮部１２から取得するようになっている。また、画像再生側制御部９は、直前の操作における圧縮画像データの解凍に要した解凍時間についての情報を、デジタル転送バス２を介した送信によって、画像表示装置４の画像解凍部１６から取得することができるようになっている。
【００７７】
そして、画像再生側制御部９は、取得した圧縮時間と、解凍時間とを加算することによって、受付禁止時間を求めるようになっている。
【００７８】
これにより、受付禁止時間を、誤操作の防止と円滑な操作の継続とを均衡させるために最適な時間に設定することができる。
【００７９】
さらにまた、本実施形態において、画像再生側制御部９には、圧縮画像データの解凍時間の固定値が確保されている。そして、画像再生側制御部９は、画像解凍部１６から直前の操作における圧縮画像データの解凍に要した解凍時間についての情報を取得することができない場合には、前記解凍時間の固定値と、直前の操作における画像データの圧縮に要した圧縮時間とを加算することによって受付禁止時間を求めるようになっている。
【００８０】
これにより、画像解凍部１６から直前の操作における解凍時間の情報を取得することができない場合においても、受付禁止時間を設定することができる。
【００８１】
次に、本実施形態の作用について説明する。
【００８２】
なお、本実施形態においては、便宜上、これから操作者が行う本操作の直前に、すでに操作がなされており、当該直前の操作における圧縮画像データの解凍に要した解凍時間の情報が画像再生側制御部９側に適正に取得されているものとする。
【００８３】
図２に示すように、本実施形態においては、入力手段を介して操作者による本操作がなされると、ステップ１（ＳＴ１）に示すように、本操作がなされた装置が画像再生装置３であるか否かを判断し、画像再生装置３である場合には、ステップ３（ＳＴ３）に進み、画像表示装置４である場合には、ステップ２（ＳＴ２）に進む。
【００８４】
ステップ２（ＳＴ２）においては、入力手段１８，２１によって入力された本操作の操作情報（電気的操作信号）を、デジタル転送バス２を介して画像表示装置４側から画像再生装置３側に送信した後に、ステップ３（ＳＴ３）に進む。
【００８５】
次いで、ステップ３（ＳＴ３）においては、画像再生側制御部９によって、本操作が、有料放送等の有料画像情報の再生をともなう操作であるか否かを判断し、再生をともなう場合には、本操作を制御対象操作と判断してステップ５（ＳＴ５）に進み、再生をともなわない場合には、ステップ４（ＳＴ４）に進む。
【００８６】
ステップ４（ＳＴ４）においては、本操作がメニュー画面の遷移をともなうか否かを判断し、遷移をともなう場合には、本操作を制御対象操作と判断してステップ５（ＳＴ５）に進み、遷移をともなわない場合には、本操作を非制御対象操作と判断して、本操作をそのまま受け付けて画像の再生および表示に反映させる。
【００８７】
ステップ５（ＳＴ５）においては、直前の操作から本操作までの間に受付禁止時間が経過したか否かを判断し、経過してない場合には、本操作を無効とし、経過した場合には、本操作を受け付けて画像の再生および表示に反映させる。
【００８８】
したがって、本実施形態においては、制御対象操作については、受付禁止時間の経過を待って初めて再生および表示に反映させることによって、重要な操作についての誤操作を未然に回避することができる。
【００８９】
なお、本発明は、前述した実施の形態に限定されるものではなく、必要に応じて種々の変更が可能である。
【図面の簡単な説明】
【００９０】
【図１】本発明に係る画像再生装置およびこれを備えた画像表示システムの実施形態を示すブロック図
【図２】本発明に係る画像再生装置およびこれを備えた画像表示システムの実施形態を示すフローチャート
【符号の説明】
【００９１】
１  画像表示システム
３  画像再生装置
４  画像表示装置
５  画像再生側リモコン
８  画像再生側操作ボタン
１２  画像圧縮部
１６  画像解凍部
１８  画像表示側リモコン
２１  画像表示側操作ボタン
【図１】
2005328428.tif 000003
【図２】
2005328428.tif 000004